(57)【要約】【課題】従来の技術では、店舗での現金以外の決済の際にはカードや携帯電話・携帯端末など、なんらかの媒体を持ち歩く必要があった。このため媒体の紛失や盗難の恐れもあった。課題は、媒体レスでキャッシュレスの決済をおこなう事が可能で、かつ匿名性を保持しつつも利用者が本人である事を確実に確認する事ができるようにする事にある。【解決手段】入出金および決済を行う店舗にあるＰＯＳシステム（１０２）に認証端末（１０１）を接続し、決済の際に生体情報を読取り変換して個人コードを得る。ネットワーク（１０３）を介してデータベース（１０５）をもつ決済装置（１０４）に接続し、個人コードをデータベースと照合し決済を行う。【選択図】図１
2007304742.tif 000002
【特許請求の範囲】
【請求項１】
認証端末と、ＰＯＳシステムおよびインターネットや専用線などのネットワーク（以降、ネットワークと呼ぶ）を介して、データベースに接続される決済装置とを含み、前記認証端末は生体情報読取部および読取った生体情報から個人コードを生成するデータ変換部、データの暗号化および復号化を行う暗号変換部、データの送受信を行う通信部を備え、前記決済装置は、データの送受信を行う通信部、データの暗号化および復号化を行う暗号変換部、データベース部とのデータの照合を行うデータ照合部、データの演算を行う演算部、認証端末により生体情報から生成した個人コードを蓄積したデータベース部を備え、前記認証端末は、ＰＯＳシステムでの入出金および決済に際し、生体情報読取部より読取りされた生体情報を、データ変換部により個人コードにデータ変換し、暗号変換部にて暗号化し、通信部によりＰＯＳシステムおよびネットワークを介して前記決済装置に送信し、前記決済装置は、ネットワークを介し通信部にて受信した暗号化された個人コードを、暗号変換部にて復号化し、データ照合部にてデータベース部と照合し、演算部にて入出金・決済処理の可否の判断および演算処理をし、決済を行う事を特徴とする生体認証による入出金・決済システム。
【請求項２】
請求項１の生体認証による入出金・決済システムに、パスワード入力機能および照合機能を付加し、よりセキュリティを強化した機能を有するシステム。
【請求項３】
請求項１の生体認証による入出金・決済システムに、他の部位や他の種別の生体認証を組合せて、よりセキュリティを強化した機能を有するシステム。
【請求項４】
請求項１のＰＯＳシステムの替わりに、ネットワークに接続されるＰＣを使用し、ＰＯＳシステムの機能をネットワーク上での仮想店舗側に備え、認証端末はネットワーク上での仮想店舗での決済に際しＰＣに接続され使用され、ネットワーク上の仮想店舗からの要求により、前記認証端末の生体情報読取部より読取りされた生体情報を、データ変換部により個人コードにデータ変換し、暗号変換部にて暗号化し、通信部によりネットワークを介して決済装置に送信し、前記決済装置は、ネットワークを介し通信部にて受信した暗号化された個人コードを、暗号変換部にて復号化し、データ照合部にてデータベース部と照合し、演算部にて入出金・決済処理の可否の判断および演算処理を行い、判断結果をネットワーク上の仮想店舗のＰＯＳシステムと認証端末を接続したＰＣに送信し決済を行う事を特徴とするネットワーク上の仮想店舗での生体認証による決済システム。
【発明の詳細な説明】
【技術分野】
【０００１】
本発明は、生体情報を利用した入出金・決済システムに関するものである。
【背景技術】
【０００２】
エディ・Ｓｕｉｃａなどの電子マネーや、クレジットカードなどを使用してキャッシュレスで売買取引の決済を行う事が多くなっている。キャッシュレスで決済を行う場合、安全性を確保するために利用者が本人である事を確認する必要がある。
【０００３】
従来、決済に際して利用者が本人である事を確認する最も一般的な方法は、利用者にパスワードを入力させる方法であり、他には、利用者の生体情報を予め登録しておき、決済に際し取得された情報と予め登録されている情報とを照合する事により利用者が本人である事を確認する方法などもある。
【０００４】
【特許文献１】特開２００２−２６９０５１号公報（ユーザ認証方法及びユーザ認証システム）
【特許文献２】特開２００４−２０８９９４号公報（携帯情報機器、本人認証装置及び本人認証システム）
【特許文献３】特開２００５−２０８８２１号公報（電子購入システム、腕装着型携帯端末、電子購入方法、及び、電子購入用コンピュータプログラム）
【発明の開示】
【発明が解決しようとする課題】
【０００５】
従来の技術では、店舗での入出金・決済の際にはカードや携帯電話・携帯端末など、何らかの媒体を持ち歩く必要があった。このため媒体の紛失や盗難の恐れもあった。
【０００６】
また、エディ・Ｓｕｉｃａなどの電子マネーでは、利用者が紛失・盗難された際に、悪意を持った者が利用者に成りすまし残額を使用されてしまう事も考えられる。クレジットカードでも成りすましや、インターネット上などでのカード番号の悪用の可能性も考えられる。セキュリティ強化のためパスワードと併用しても、パスワードが通常記憶できる範囲の数字のくみ合わせで構成される為、解読される危険性が高い。
【０００７】
また、利用者の生体情報を照合する事により利用者が本人である事を確認する方法では成りすましができないものの、登録や決済の際に上記の特別な情報を取得する事は匿名性がなく、利用者によっては好まれない場合もある。
【０００８】
本発明の目的は、従来技術の問題点を解決し、媒体レスでキャッシュレスの決済をおこなう事が可能になり、さらに匿名性を保持しつつも利用者が本人である事を確実に確認する事ができるようにする事にある。
【課題を解決するための手段】
【０００９】
入出金および決済を行う店舗にあるＰＯＳシステムに認証端末を接続し、このＰＯＳシステムをネットワーク経由でデータベースをもつ決済装置に接続する。ここでいう店舗とは、ネットワーク上の仮想店舗も含む。またここでいうＰＯＳシステムと認証端末は直接接続する必要はなく認証端末内にＰＯＳシステムを含んでもよく、その逆でもよい、またネットワーク経由で接続してもよい。またここでいうＰＯＳシステムとは、一般的な販売時点商品管理システムを指しているが、本発明に関しては管理機能を必ずしも有する必要はなく、レジ機能と通信機能を含んでいれはよい。またここでいうネットワークとはインターネットや専用線などの通信網の事であり有線であっても無線であってもよい。またここでいうデータベースは必ずしも決済装置に持つ必要は無く、決済装置に外部接続される構成でもよく、またネットワーク上に接続される構成でもよい。前記認証端末は生体情報読取部および読取った生体情報を変換して個人コードを得るデータ変換部、データの暗号化および復号化を行う暗号変換部、データの送受信を行う通信部を備える。ここでいう暗号変換部の機能はＰＯＳシステム側で代用してもよい。前記決済装置は、データの送受信を行う通信部、データの暗号化および復号化を行う暗号変換部、データベース部とのデータの照合を行うデータ照合部、データの演算を行う演算部、認証端末により生体情報を変換したデータから得られた個人コードおよびその関連情報を蓄積したデータベースを備える。ここでいう生体情報とは指・掌静脈や網膜・指紋などの利用者を特定できる人体の持つ情報を指す。またここでいう個人コードとは、生体情報の画像データそのものではなく、入出金・決済システムに使用される目的でのみ生成される、利用者を特定するデータである。例えば生体情報である静脈の画像データを読取り、小さなブロックに細分化し血管の分岐点位置情報や分岐角度情報などからデータを生成し個人コードとする方法などが考えられる。前記認証端末は、ＰＯＳシステムでの入出金および決済に際し、生体情報読取部より読取りされた生体情報を、データ変換部により個人コードにデータ変換し、暗号変換部にて暗号化し、通信部によりＰＯＳシステムおよびネットワークを介して前記決済装置に送信する。前記決済装置は、ネットワークを介し通信部にて受信した暗号化された個人コードを、暗号変換部にて復号化し、データ照合部にてデータベース部と照合する。先ほど上げた例えの場合では、データ照合部にて個人コードとデータベース部のデータとを照合し、利用者である事の特定ができる確立以上で分岐点位置情報や分岐角度情報などの情報が一致しているかを確認する方法が考えられる。利用者である事の特定ができた場合は演算部にて入出金・決済処理の可否の判断および演算処理をおこなう。これにより、媒体レスでキャッシュレスの決済をおこなう事が可能になる。また、匿名性があり、安全性の高いシステムを構築する事が可能になる。
【００１０】
また、本発明の生体認証による入出金・決済システムに、パスワード入力機能および照合機能を付加する事により、さらにセキュリティを強化した機能を有するシステムとする事も可能になる。ここでいうパスワード入力機能は認証端末やＰＯＳシステムに含むか、パスワード入力端末として、本発明の生体認証による入出金・決済システムに接続される。また、ここでいう照合機能は決済装置に含まれるか、照合端末として、本発明の生体認証による入出金・決済システムに接続される。
【００１１】
また、本発明の生体認証による入出金・決済システムに、他の部位や他の種別の生体認証を組合せる事により、さらにセキュリティを強化した機能を有するシステムとする事も可能になる。ここでいう他の部位の生体認証との組合せとは、例えば指静脈認証であれば人差し指と中指の組合せなどの指静脈認証のなかで違う指を組合せた認証方法を指し、例えば目膜認証であれば右目と左目の組合せ等、同一種別の認証方法を指す。また、ここでいう他の種別の生体認証との組合せとは、例えば指静脈認証と指紋認証や、例えば指静脈認証と網膜認証等、別の種別の生体認証との組合せによる認証方法を指す。本機能は認証端末に他の部位や他の種別の生体認証機能を合せ持つか、夫々別々の認証端末を用意して本発明の生体認証による入出金・決済システムに接続される事により実現される。
【００１２】
また、本発明の生体認証による入出金・決済システムのＰＯＳシステムの替わりに、ネットワークに接続されるＰＣを使用し、ＰＯＳシステムの機能をネットワーク上での仮想店舗側に備える。ここでいうＰＣとはパーソナルコンピュータ事を指すが、同等の機能を有する電算機でもよい。また、ここでいう仮想店舗側に備えるＰＯＳシステムは、ネットワーク上に接続されていてもよい。認証端末はネットワーク上での仮想店舗での決済に際しＰＣに接続され使用される。ここでいうＰＣに接続する認証端末はネットワーク上に接続されていてもよい。ネットワーク上の仮想店舗からの要求により、前記認証端末の生体情報読取部より読取りされた生体情報を、データ変換部により個人コードにデータ変換し、暗号変換部にて暗号化し、通信部によりネットワークを介して決済装置に送信する。前記決済装置は、ネットワークを介し通信部にて受信した暗号化された個人コードを、暗号変換部にて復号化し、データ照合部にてデータベース部と照合し、演算部にて入出金・決済処理の可否の判断および演算処理を行い、判断結果をネットワーク上の仮想店舗のＰＯＳシステムと認証端末を接続したＰＣに送信し決済を行う。判断結果は必ずしも利用者側と仮想店舗側に同時に行う必要はなく、どちらかを経由する方法でもよい。  これらによりネットワーク上の仮想店舗での生体認証による決済システムを実現できる。
【発明の効果】
【００１３】
本発明の生体認証による入出金・決済システムでは、利用者がカードや携帯電話・携帯端末などの媒体を一切持ち歩く必要なく入出金・決済を行う事が可能になる。また媒体が不要なため紛失や盗難の恐れもなくなり、かつ生体情報を元に個人コードが生成される為、悪意を持った者が利用者に成りすます事もできなくなりセキュリティは守られる。なお、パスワードや他の部位や他の種別の生体認証と併用した場合は、媒体レスのままで、さらにセキュリティを強化する事ができる。また、本発明の生体認証による入出金・決済システムでは、住所や氏名などの個人情報を予め登録する必要がなく、また、利用者の生体情報から個人コードを生成するが生体情報そのものもやり取りしないため、利用者を特定する個人情報との関連性を持たず、匿名性が守られる。
【００１４】
本発明により、セキュリティの高い、媒体レスでキャッシュレスの決済をおこなう事が可能になり、さらに匿名性を保持しつつも利用者が本人である事を確実に確認する事ができる。
【発明を実施するための最良の形態】
【００１５】
本発明の実施例について図を基に説明する。
【００１６】
本発明は図１のシステム構成図１のように、認証端末（１０１）・ＰＯＳシステム（１０２）・ネットワーク（１０３）・決済装置（１０４）・データベース（１０５）から構成される。認証端末（１０１）はＰＯＳシステム（１０２）に接続され、ＰＯＳシステム（１０２）はネットワーク（１０３）を介して決済装置（１０４）に接続される。決済装置（１０４）にはデータベース（１０５）が接続される。認証端末（１０１）は図３に示すように、生体情報読取部（３０１）・データ変換部（３０２）・暗号変換部（３０３）・通信部（３０４）により構成される。生体情報読取部（３０１）には利用者の生体情報を読取る機能を有し、データ変換部（３０２）には生体情報をデータ変換し個人コードを生成する機能を有し、暗号変換部（３０３）には個人コードを暗号化する機能を有し、通信部（３０４）には暗号化データを送受信する機能を有する。ＰＯＳシステム（１０２）は店舗レジなどのシステムの事を指し、ネットワーク（１０３）はインターネットや専用線などの通信網の事を指す。決済装置（１０４）は図４に示すように、通信部（４０１）・暗号変換部（４０２）・データ照合部（４０３）・演算部（４０４）からなり、データベース（１０５）が接続される。通信部（４０１）は暗号化データを送受信する機能を有し、暗号変換部（４０２）は暗号化されたデータを復号化して個人コードを得る機能を有し、データ照合部（４０３）は個人コードがデータベース（１０５）に存在するか照合する機能を有し、演算部（４０４）は要求の入出金または決済処理の演算を行う機能を有する。データベース（１０５）は図５に示すように、個人コード（Ｄ５０１）・残額（Ｄ５０２）・他の情報（Ｄ５０３）などのデータ領域を持つ。
【００１７】
次に、フローチャートにて生体認証による入出金・決済システムの例を説明する。
【００１８】
店舗等のＰＯＳシステムでは、図６に示すように、生体認証による入出金・決済処理の要求がないか監視（Ｆ６０１）する。要求があった場合、認証端末に対し暗号化された個人コードを要求（Ｆ６０２）する。次に認証端末からの暗号化された個人コードの受信を監視（Ｆ６０３）する。暗号化した個人コードの受信があった場合、その個人コードを決済装置に送信（Ｆ６０４）する。次に決済装置から決済可否の受信がないか監視（Ｆ６０５）する。決済可否の受信があった場合、その結果が”可”であったか判断（Ｆ６０６）する。結果が”可”であった場合は入出金・決済成立の処理（Ｆ６０７）を行う。Ｆ６０６での判断の結果が”否”であった場合は、入出金・決済不成立の処理を行う。
証端末では、図７に示すように、ＰＯＳシステムからの処理要求がないか監視（Ｆ７０１）する。ＰＯＳシステムからの処理要求があった場合、生体検知を監視（Ｆ７０２）する。生体検知した場合、生体情報読取（Ｆ７０３）を行う。次に読取った生体情報から個人コードを生成（Ｆ７０４）する。生成した個人コードを暗号化し、暗号化した個人コードをＰＯＳシステムへ送信（Ｆ７０５）する。
【００１９】
決済装置では、図８に示すように、ＰＯＳシステムからの入出金・決済処理の要求がないか監視（Ｆ８０１）する。入出金・決済処理の要求があった場合、受信したデータの復号化（Ｆ８０２）を行う。復号化した個人コードをデータベースと照合（Ｆ８０３）する。照合した個人コードがデータベースに登録されているデータか（Ｆ８０４）確認する。個人コードが登録データにあった場合、データベースにある個人コードの残額か入手金・決済処理要求の金額を加減算した場合の確認処理（Ｆ８０５）を行う。確認した結果が”可”か判定（Ｆ８０６）を行う。確認した結果が”可”であれば、個人コードの残額から加減算処理（Ｆ８０７）を行う。加減算処理を行った後、入出金・決済処理成立をＰＯＳシステムへ返信（Ｆ８０８）する。Ｆ８０４で復号化した個人コードをデータベースと照合した際に、個人コードが登録データになかった場合は、入出金・決済不成立をＰＯＳシステムへ返信（Ｆ８０９）する。また、同様にＦ８０６で入手金・決済処理要求の金額を加減算した場合に問題ないか確認した結果が”否”であった場合は、入出金・決済不成立をＰＯＳシステムへ返信（Ｆ８０９）する。
【００２０】
また、上記に示した生体認証による入出金・決済システムに、認証端末またはＰＯＳシステムにパスワード入力機能をおよび照合機能付加し、パスワード入力を組合せ、よりセキュリティを強化した機能を有するシステムとする事も可能である。
【００２１】
また、同様に生体認証による入出金・決済システムに、認証端末またはＰＯＳシステムに、他の部位や他の種別の生体認証機能を付加し、他の部位や他の種別の生体認証入力を組合せ、よりセキュリティを強化した機能を有するシステムとする事も可能である。
【００２２】
また、生体認証による入出金・決済システムを応用し図２のシステム構成とする事もできる。図２のシステムは、認証端末（１０１）・ＰＣ（２０１）・仮想店舗（２０２）・ＰＯＳシステム（１０２）・ネットワーク（１０３）・決済装置（１０４）・データベース（１０５）から構成される。認証端末（１０１）はＰＣ（２０１）に接続され、はＰＣ（２０１）はネットワーク（１０３）を介して仮想店舗（２０２）に接続される。仮想店舗（２０２）にはＰＯＳシステム（１０２）が接続される。また、ネットワーク（１０３）には決済装置（１０４）も接続される。決済装置（１０４）にはデータベース（１０５）が接続される。  このように、図２のシステム構成図２の構成とする事により、ネットワーク上の仮想店舗での生体認証による決済システムへ応用する事もできる。
【００２３】
また、生体認証による入出金・決済システムを応用し、ネットワーク上に接続されたＰＯＳシステム（１０２）を交通機関の自動改札機と置き替えたシステムでは、利用者が乗車駅と降車駅で自動改札機を通過するときに認証端末（１０１）にて認証を行う事により、利用者がどの駅で乗車してどの駅で降車したかをネットワーク（１０３）に接続された決済装置（１０４）で把握し、移動距離に応じた運賃を決済装置（１０４）で自動的に算出し決済する事ができる。本発明は、利用者が現金や切符を持たずに乗車駅から降車駅間の運賃決済を自動的に行うシステムにも応用する事が可能である。
【図面の簡単な説明】
【００２４】
【図１】システム構成図１。
【図２】システム構成図２。
【図３】認証端末の構造。
【図４】決済装置の構造。
【図５】データベース構造。
【図６】ＰＯＳシステムでの処理。
【図７】認証端末での処理。
【図８】決済装置での処理。
【符号の説明】
【００２５】
１０１…認証端末、１０２…ＰＯＳシステム、１０３…ネットワーク、１０４…決済装置、１０５…データベース、２０１…ＰＣ、２０２…仮想店舗、３０１…認証端末  生体情報読取部、３０２…認証端末  データ変換部、３０３…認証端末  暗号変換部、３０４…認証端末  通信部、４０１…決済装置  通信部、４０２…決済装置  暗号変換部、４０３…決済装置  データ照合部、４０４…決済装置  演算部。
【図１】
2007304742.tif 000003
【図２】
2007304742.tif 000004
【図３】
2007304742.tif 000005
【図４】
2007304742.tif 000006
【図５】
2007304742.tif 000007
【図６】
2007304742.tif 000008
【図７】
2007304742.tif 000009
【図８】
2007304742.tif 000010